(57)【特許請求の範囲】
【請求項１】
上階と下階とを備え、下階床の一部の上に中間床が設けられており、この中間床の上方が中間部屋とされるとともに、該中間床と前記下階床との間が低天井収納室とされた建物において、
前記下階床上には、上階と下階とを連絡するための階段が設置されるとともに、この階段の途中には、前記中間床と略等しい高さに位置し、かつ該中間床に隣接する踊り場が設けられており、
この踊り場の下方には、前記低天井収納室と略等しい天井高を有し、かつ該低天井収納室と連続する補助スペースが設けられており、これら低天井収納室および補助スペースは、前記下階床よりも床面の高さが一段低い低床部を備えており、
前記低天井収納室は、前記下階に設けられる部屋に隣接するとともに、この下階の部屋に隣接する玄関室に連なる玄関収納部に隣接して配置されており、
前記低天井収納室には、前記下階の部屋との間に、この下階の部屋に面する出入口が設けられるとともに、前記玄関収納部との間に、この玄関収納部に面する出入口が設けられていることを特徴とする建物。
【請求項２】
請求項１に記載の建物において、
前記低天井収納室および補助スペースは、前記下階の部屋に面する出入口側に、前記下階床と略等しい高さを有し、かつ該下階床に隣接する高床部を備えていることを特徴とする建物。
【請求項３】
請求項１または２に記載の建物において、
前記玄関収納部は、前記下階床よりも床面の高さが一段低い低床部を備えており、この玄関収納部の低床部は、前記低天井収納室および補助スペースの低床部と略等しい高さを有していることを特徴とする建物。
【請求項４】
請求項１〜３のいずれか一項に記載の建物において、
前記低天井収納室および補助スペースの低床部と、前記玄関収納部の低床部とは土間床で構成されていることを特徴とする建物。
【発明の詳細な説明】
【技術分野】
【０００１】
本発明は、上階と下階とを備え、下階床の一部の上に中間床が設けられ、この中間床の上方が中間部屋とされるとともに、該中間床と前記下階床との間が低天井収納室とされた建物に関する。
【背景技術】
【０００２】
近年、生活の質の向上や多様化に伴い、生活に使用する物品が多種多様化および多数化する傾向にあり、例えば押入や納戸、床下収納庫、小屋裏収納部、天井裏収納部等の従来の収納スペースでは広さや容量が不足し、また、建物が建てられる敷地の有効利用という観点から、屋外物置等の設置は望ましくないという問題があった。
この問題を解決する建物の一例として、特許文献１に記載のものが知られている。この建物では、建物内部に大型の収納空間である蔵を設けるとともに、この収納空間と同じ床レベルの居室を隣接して設け、さらに当該居室に収納空間への出入口を設けている。この建物は、上階の床と下階の床との間のスキップ床の床レベルに収納空間を設けるため、上階の荷物と下階の荷物のいずれを収納空間へ出し入れする場合にも便利であった。
【特許文献１】特開２００４−０１１３３６号公報
【発明の開示】
【発明が解決しようとする課題】
【０００３】
ところが、特許文献１に記載の建物のように、建物の内部に設けられた収納空間に対して、例えばアウトドア用品等、建物の外部で使用する物品を収納する際には、玄関から下階の部屋、階段等を通過して、収納空間がある居室まで運ばなければならず、使い勝手が良くない場合があった。
また、特許文献１に記載の収納空間は、単に六面体状に形成された収納空間である蔵が蔵階に設置されたものであるため、より有効的に建物内部の空間を利用でき、収納スペースをより広く確保できるような技術が望まれていた。
【０００４】
本発明の課題は、使い勝手が良く、建物内の空間を有効利用することによって収納スペースをより広く確保することが可能な建物を提供することを目的とする。
【課題を解決するための手段】
【０００５】
請求項１に記載の発明は、例えば図１〜図３に示すように、上階２と下階１とを備え、下階床１ａの一部の上に中間床１ｂが設けられ、この中間床１ｂの上方が中間部屋１５とされるとともに、該中間床１ｂと前記下階床１ａとの間が低天井収納室１６とされた建物Ａにおいて、
前記下階床１ａ上には、上階２と下階１とを連絡するための階段３０が設置されるとともに、この階段３０の途中には、前記中間床１ｂと略等しい高さに位置し、かつ該中間床１ｂに隣接する踊り場３１が設けられており、
この踊り場３１の下方には、前記低天井収納室１６と略等しい天井高を有し、かつ該低天井収納室１６と連続する補助スペース１７が設けられており、これら低天井収納室１６および補助スペース１７は、前記下階床１ａよりも床面の高さが一段低い低床部１８を備えており、
前記低天井収納室１６は、前記下階１に設けられる部屋１０に隣接するとともに、この下階１の部屋１０に隣接する玄関室１２に連なる玄関収納部１３に隣接して配置されており、
前記低天井収納室１６には、前記下階１の部屋１０との間に、この下階１の部屋１０に面する出入口１６ａが設けられるとともに、前記玄関収納部１３との間に、この玄関収納部１３に面する出入口１６ｂが設けられていることを特徴とする。
【０００６】
請求項１に記載の発明によれば、前記中間床１ｂと前記下階床１ａとの間が低天井収納室１６とされているので、従来とは異なり、例えば外部で使用する物品を、階段を上って収納空間がある居室まで運ぶ必要が無く、使い勝手が良い。
しかも、前記階段３０の途中に設けられる踊り場３１の下方に、前記低天井収納室１６と略等しい天井高を有し、かつ該低天井収納室１６と連続する補助スペース１７が設けられており、これら低天井収納室１６および補助スペース１７は、前記下階床１ａよりも床面の高さが一段低い低床部１８を備えているので、前記低天井収納室１６は、前記補助スペース１７の分だけ収納空間が広くなり、さらに前記低天井収納室１６および補助スペース１７は、前記低床部１８が下階床１ａよりも床面高さが一段低くなる分だけ収納空間が広くなり、収納スペースの容量を大きくすることができる。すなわち、前記補助スペース１７の分と前記低床部１８の分だけ、建物Ａ内の空間を利用することができるので、従来に比して、収納スペースをより広く確保することが可能となる。
【０００８】
また、前記低天井収納室１６は、前記下階１に設けられる部屋１０に隣接するとともに、この下階１の部屋１０に隣接する玄関室１２に連なる玄関収納部１３に隣接して配置されており、前記低天井収納室１６には、前記下階１の部屋１０との間に、この下階１の部屋１０に面する出入口１６ａが設けられるとともに、前記玄関収納部１３との間に、この玄関収納部１３に面する出入口１６ｂが設けられているので、例えば、建物Ａ内で使用する物品は、前記下階１の部屋１０から収納することができ、外部で使用する物品は、前記玄関室１２を介して玄関収納部１３から収納することができ、より使い勝手が良い。
【０００９】
請求項２に記載の発明は、例えば図１および図２に示すように、請求項１に記載の建物Ａにおいて、
前記低天井収納室１６および補助スペース１７は、前記下階１の部屋１０に面する出入口１６ａ側に、前記下階床１ａと略等しい高さを有し、かつ該下階床１ａに隣接する高床部１９を備えていることを特徴とする。
【００１０】
請求項２に記載の発明によれば、前記低天井収納室１６および補助スペース１７は、前記下階１の部屋１０に面する出入口１６ａ側に、前記下階床１ａと略等しい高さを有し、かつ該下階床１ａに隣接する高床部１９を備えているので、この高床部１９を通じて、前記低天井収納室１６および補助スペース１７と、前記下階１の部屋１０との間の行き来が容易となり、これら低天井収納室１６および補助スペース１７と、前記下階１の部屋１０との間での物品の搬入や搬出がしやすく、さらに使い勝手が良い。
【００１１】
請求項３に記載の発明は、例えば図２に示すように、請求項１または２に記載の建物Ａにおいて、
前記玄関収納部１３は、前記下階床１ａよりも床面の高さが一段低い低床部１３ａを備えており、この玄関収納部１３の低床部１３ａは、前記低天井収納室１６および補助スペース１７の低床部１８と略等しい高さを有していることを特徴とする。
【００１２】
請求項３に記載の発明によれば、前記玄関収納部１３は、前記下階床１ａよりも床面の高さが一段低い低床部１３ａを備えており、この玄関収納部１３の低床部１３ａは、前記低天井収納室１６および補助スペース１７の低床部１８と略等しい高さを有しているので、前記低天井収納室１６および補助スペース１７と、前記玄関収納部１３との間の行き来が容易となり、これら低天井収納室１６および補助スペース１７と、前記玄関収納部１３との間での物品の搬入や搬出がしやすく、より一層使い勝手が良い。
【００１３】
請求項４に記載の発明は、例えば図２に示すように、請求項１〜３のいずれか一項に記載の建物Ａにおいて、
前記低天井収納室１６および補助スペース１７の低床部１８と、前記玄関収納部１３の低床部１３ａとは土間床で構成されていることを特徴とする。
【００１４】
請求項４に記載の発明によれば、前記低天井収納室１６および補助スペース１７の低床部１８と、前記玄関収納部１３の低床部１３ａとは土間床で構成されているので、これら低床部１８，１３ａに、特に外部で使用する物品を収納することが好適となる。すなわち、これら低床部１８，１３ａは、前記下階床１ａよりも床面が一段低いので、例えば物品に泥水が付着していたとしても、この泥水が下階１の部屋１０等に浸入することを防ぐことができる。
【発明の効果】
【００１５】
本発明によれば、下階床の一部の上に中間床が設けられ、この中間床と下階床との間が低天井収納室とされているので、従来とは異なり、例えば外部で使用する物品を、階段を上って収納空間がある居室まで運ぶ必要が無く、使い勝手が良い。
しかも、上下階を連絡する階段の途中に設けられる踊り場の下方に、低天井収納室と略等しい天井高を有し、かつ該低天井収納室と連続する補助スペースが設けられており、これら低天井収納室および補助スペースは、下階床よりも床面の高さが一段低い低床部を備えているので、前記低天井収納室は、補助スペースの分だけ収納空間が広くなり、さらに低天井収納室および補助スペースは、低床部が下階床よりも床面高さが一段低くなる分だけ収納空間が広くなり、収納スペースの容量を大きくすることができる。すなわち、補助スペースの分と低床部の分だけ、建物内の空間を利用することができるので、従来に比して、収納スペースをより広く確保することが可能となる。
【発明を実施するための最良の形態】
【００１６】
以下、図面を参照して本発明の実施の形態について説明する。
なお、本実施の形態において説明する建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１７】
本実施の形態の建物は、図１に示すように、上階２と下階１とを備え、下階床１ａの一部の上に中間床１ｂが設けられ、この中間床１ｂの上方が中間部屋１５とされるとともに、該中間床１ｂと前記下階床１ａとの間が低天井収納室１６とされたものであり、前記下階床１ａ上には、上階２と下階１とを連絡するための階段３０が設置されるとともに、この階段３０の途中には、前記中間床１ｂと略等しい高さに位置し、かつ該中間床１ｂに隣接する踊り場３１が設けられており、この踊り場３１の下方には、前記低天井収納室１６と略等しい天井高を有し、かつ該低天井収納室１６と連続する補助スペース１７が設けられており、これら低天井収納室１６および補助スペース１７は、前記下階床１ａよりも床面の高さが一段低い低床部１８を備えている。
【００１８】
なお、本実施の形態の建物Ａは、上述したように上階２と下階１とを備えており、各階１，２に複数の部屋が設けられた２階建ての建物となっている。また、図１および図３に示すように、前記下階床１ａの一部の上に設けられた中間床１ｂの上方が中間部屋１５とされるとともに、該中間床１ｂと前記下階床１ａとの間が低天井収納室１６とされており、図１および図４に示すように、上階床２ａの一部の上に設けられる中間床２ｂの上方が中間部屋２３，２４とされている。
【００１９】
さらに、この建物Ａの上階２と下階１とを連絡するための階段３０が、前記下階床１ａ、中間床１ｂ、上階床２ａおよび中間床２ｂに面して設けられている。この階段３０は、図２〜図５に示すように、複数の踊り場３１，３２，３２を備えている。
なお、前記踊り場３１は、上述したように、前記中間床１ｂと略等しい高さに位置し、かつ該中間床１ｂに隣接している。
【００２０】
ここで、前記下階１に設けられる部屋１０は、図２に示すように、リビング・ダイニング・キッチンからなる共用居住空間であり、この下階１の部屋１０および前記階段３０に隣接して、風呂・洗面室・トイレ等が配置されている。
また、この下階１の部屋１０に隣接して玄関室１２が配置されている。この玄関室１２に対しては、玄関土間１２ｂから一段上がった玄関ホール１２ａを介して、前記低天井収納室１６に隣接する玄関収納部１３が連なるようにして設けられている。
【００２１】
一方、この下階１の部屋１０は、この下階１の部屋１０の天井１０ａの一部が高く形成されることによって高天井部１１を有している。この高天井部１１は、図１〜図３に示すように、前記下階１の部屋１０と前記中間部屋１５および低天井収納室１６との間の境界付近に設けられている。
【００２２】
そして、この高天井部１１は、前記第１通気部１１ｂおよび第２通気部１１ｃを備えている。これら第１通気部１１ｂおよび第２通気部１１ｃは、それぞれ通風および採光機能を有しており、例えば、ガラス等の透光性を有する材料を主体として形成され、開閉可能に構成された引違い窓の形態や、複数の水平羽板を備えるルーバー状の部材が取り付けられるような形態が採用されている。この他にも、種々の形態が挙げられるが、本発明の趣旨を逸脱しない範囲で適宜変更可能である。
【００２３】
このような高天井部１１の構造を採用することによって、暖かい空気がより高い所へと上昇していく性質を利用することで前記下階１の部屋１０内の暖かい空気を前記高天井部１１へと上昇させて溜めることができるようになっている。そして、この高天井部１１は、前記中間部屋１５に面して設けられる第１通気部１１ｂと、この第１通気部１１ｂに対向して設けられる第２通気部１１ｃとを備えていることから、これら第１通気部１１ｂおよび第２通気部１１ｃが対向する方向に沿って通風させることで、前記高天井部１１に溜まる暖かい空気を前記第１通気部１１ｂおよび第２通気部１１ｃを通じて排出したり、前記中間部屋１５の換気を行うことができるので、自然換気を容易かつ確実に行うことができ、夏場においても快適な居住環境を形成することが可能となる。
【００２４】
また、前記第１通気部１１ｂおよび第２通気部１１ｃは、通風だけでなく採光機能を有していることから、これら第１通気部１１ｂおよび第２通気部１１ｃが対向する方向に沿って陽光が差し込むこととなるので、前記高天井部１１の下方や中間部屋１５の採光性を向上させることができるようになっている。
【００２５】
そして、前記中間床１ｂと下階床１ａとの間に設けられる前記低天井収納室１６は、日用品等を収納する収納スペースとして利用されており、その天井高が１．４ｍに設定されているが、０．９ｍ〜１．４ｍの高さ範囲であれば、これに限られるものではない。
すなわち、このように低天井収納室１６の天井高を０．９ｍ〜１．４ｍに設定することによって、居住者が低天井収納室１６に入って、何とか作業ができる最低限の高さを確保でき、また、このように天井高を必要最低限に押さえることで、建物Ａの高さが高くなることによって隣接する建物に及ぼす日照現象等の影響を極力少なくすることができる。
【００２６】
また、この低天井収納室１６は、図１および図２に示すように、前記下階１に設けられる部屋１０に隣接するとともに、この下階１の部屋１０に隣接する玄関室１２に連なる玄関収納部１３に隣接して配置されており、前記低天井収納室１６には、前記下階１の部屋１０との間に、この下階１の部屋１０に面する出入口１６ａが設けられるとともに、前記玄関収納部１３との間に、この玄関収納部１３に面する出入口１６ｂが設けられている。
これにより、例えば、建物Ａ内で使用する物品は、前記下階１の部屋１０から収納することができ、外部で使用する物品は、前記玄関室１２を介して玄関収納部１３から収納することができ、使い勝手が良い。
【００２７】
さらに、この低天井収納室１６は、上述のように、前記階段３０の踊り場３１の下方に設けられ、前記低天井収納室１６と略等しい天井高を有する補助スペース１７と連続している。しかも、これら低天井収納室１６および補助スペース１７は、前記下階床１ａよりも床面の高さが一段低い低床部１８を備えているので、すなわち、これら低天井収納室１６と補助スペース１７とは、一体化された一つの空間として認識されることとなる。
【００２８】
そして、これら低天井収納室１６および補助スペース１７は、図１および図２に示すように、前記下階１の部屋１０に面する出入口１６ａ側に、前記下階床１ａと略等しい高さを有し、かつ該下階床１ａに隣接する高床部１９を備えている。
これにより、この高床部１９を通じて、前記低天井収納室１６および補助スペース１７と、前記下階１の部屋１０との間の行き来が容易となり、これら低天井収納室１６および補助スペース１７と、前記下階１の部屋１０との間での物品の搬入や搬出がしやすく、使い勝手が良い。
【００２９】
また、前記玄関収納部１３は、図２に示すように、前記下階床１ａよりも床面の高さが一段低い低床部１３ａを備えており、この玄関収納部１３の低床部１３ａは、前記低天井収納室１６および補助スペース１７の低床部１８と略等しい高さを有している。
これにより、前記低天井収納室１６および補助スペース１７と、前記玄関収納部１３との間の行き来が容易となり、これら低天井収納室１６および補助スペース１７と、前記玄関収納部１３との間での物品の搬入や搬出がしやすく、使い勝手が良い。
【００３０】
なお、この玄関収納部１３は、前記低床部１３ａだけでなく、前記玄関室１２側に、前記下階床１ａと略等しい高さを有し、かつ該下階床１ａに隣接する高床部１３ｂを備えている。したがって、玄関室１２と玄関収納部１３との間の行き来が容易となり、これら玄関室１２と玄関収納部１３との間での物品の搬入や搬出がしやすく、使い勝手が良い。
【００３１】
その上、前記低天井収納室１６および補助スペース１７の低床部１８と、前記玄関収納部１３の低床部１３ａとは土間床で構成されている。
したがって、これら低床部１８，１３ａに、特に外部で使用する物品を収納することが好適となる。すなわち、これら低床部１８，１３ａは、前記下階床１ａよりも床面が一段低いので、例えば物品に泥水が付着していたとしても、この泥水が下階１の部屋１０等に浸入することを防ぐことができる。
つまり、外部で使用した物品を、低天井収納室１６に収納する場合は、前記玄関室１２の玄関土間１２ｂから玄関ホール１２ａを経由して、前記下階１の部屋１０を通過することなく、前記玄関収納部１３を通過して、前記低天井収納室１６へと収納する。
【００３２】
続いて、図３および図５に示すように、前記階段３０を上って下階床１ａから中間床１ｂまで上がる。前記階段３０を上った場所には踊り場３１が設けられており、この踊り場３１に面して前記中間部屋１５が設けられている。
【００３３】
前記中間部屋１５は、建物Ａを構成する外壁に沿って配置されるものであり、前記高天井部１１に隣接して配置されるとともに、前記高天井部１１の天井１１ａと同一高さの天井１５ａを備えている。そして、これら中間部屋１５の天井１５ａおよび高天井部１１の天井１１ａは、図１に示すように、前記上階床２ａの一部の上に設けられる中間床２ｂと略同じ高さ位置に設定されている。
【００３４】
続いて、図３および図５に示すように、前記階段３０を上って踊り場３１から上階床２ａまで上がる。前記階段３０を上った場所には踊り場３２が設けられており、この踊り場３２に面して上階２の部屋２０が設けられている。
【００３５】
そして、前記上階２の部屋２０は、図１に示すように、前記下階１の部屋１０の直上に位置し、かつ前記高天井部１１に隣接して配置されるとともに前記第２通気部１１ｃに面している。
【００３６】
なお、この上階２の部屋２０は、前記玄関室１２の上部の小屋部１４と隣接しており、この小屋部１４との間に出入口を形成することによって小屋部１４の内部と行き来可能となっている。そして、この小屋部１４の内部には、図３および図５に示すように、小屋裏収納部１４ａが設けられており、この小屋裏収納部１４ａは、前記低天井収納室１６と同じく、日用品等を収納する収納スペースとして利用されており、その天井高が０．９ｍ〜１．４ｍに設定されている。
【００３７】
一方、上階２には、前記上階２の部屋２０に隣接して部屋２１が設けられるとともに、この部屋２１および前記階段室３０に隣接する低天井室２２が設けられている。この低天井室２２は、前記上階床２ａと、この上階床２ａの一部の上に設けられる中間床２ｂとの間に設けられるものであり、前記低天井収納室１６と同じく、日用品等を収納する収納スペースとして利用されており、その天井高が０．９ｍ〜１．４ｍに設定されている。
なお、これら上階２の部屋２０，２１と低天井室２２とは、前記踊り場３２に出入口が面するように配置されている。
【００３８】
続いて、図３〜図５に示すように、前記階段３０を上って踊り場３２から中間床２ｂまで上がる。前記階段３０を上った場所には、図４に示すように、踊り場３３が設けられており、この踊り場３３に面して前記中間部屋２３，２４が設けられている。
【００３９】
そして、これら中間部屋２３，２４は、図１および図４に示すように、前記中間床２ｂよりも高い位置、すなわち、前記上階の部屋２０，２１の天井レベルに、それぞれロフト２３ａ，２４ａを備えている。なお、これらロフト２３ａ，２４ａは、前記低天井収納室１６と同じく、日用品等を収納する収納スペースとして利用されており、その天井高が０．９ｍ〜１．４ｍに設定されている。
また、これらロフト２３ａ，２４ａに対向する位置にはクローゼット２３ｂ，２４ｂが設けられている。
【００４０】
なお、建物Ａ内の複数の部屋には、それぞれ窓１０ｃ，１５ｃ，１６ｄ，２０ｂが設けられている。すなわち、図１および図３に示すように、前記中間部屋１５には、前記第１通気部１１ｂに対向する外壁１５ｂに窓１５ｃが設けられるとともに、前記上階２の部屋２０には、前記第２通気部１１ｃに対向する外壁２０ａに窓２０ｂが設けられている。また、前記低天井収納室１６の出入口１６ａに対向する外壁１６ｃにも窓１６ｄが設けられるとともに、この低天井収納室１６の窓１６ｄに対向するようにして、前記下階１の部屋１０の外壁１０ｂに窓１０ｃが設けられている。
このように建物Ａ内の各所に窓１０ｃ，１５ｃ，１６ｄ，２０ｂが設けられることによって、これら窓１０ｃ，１５ｃ，１６ｄ，２０ｂを通じて、外部の空気を吹き込ませたり、建物Ａ内の暖かい空気を外部に排出したりすることができるようになっている。
【００４１】
以上のようにして、本実施の形態の建物Ａを収納や換気に考慮したものとして構築することができるようになっている。
【００４２】
本実施の形態によれば、前記中間床１ｂと前記下階床１ａとの間が低天井収納室１６とされているので、従来とは異なり、例えば外部で使用する物品を、階段を上って収納空間がある居室まで運ぶ必要が無く、使い勝手が良い。
しかも、前記階段３０の途中に設けられる踊り場３１の下方に、前記低天井収納室１６と略等しい天井高を有し、かつ該低天井収納室１６と連続する補助スペース１７が設けられており、これら低天井収納室１６および補助スペース１７は、前記下階床１ａよりも床面の高さが一段低い低床部１８を備えているので、前記低天井収納室１６は、前記補助スペース１７の分だけ収納空間が広くなり、さらに前記低天井収納室１６および補助スペース１７は、前記低床部１８が下階床１ａよりも床面高さが一段低くなる分だけ収納空間が広くなり、収納スペースの容量を大きくすることができる。すなわち、前記補助スペース１７の分と前記低床部１８の分だけ、建物Ａ内の空間を利用することができるので、従来に比して、収納スペースをより広く確保することが可能となる。
【図面の簡単な説明】
【００４３】
【図１】本発明の実施の形態に係る建物を示す側断面図である。
【図２】図１に示す建物の１階および低天井収納室を示す平面図である。
【図３】図１に示す建物の１階の中間部屋および２階を示す平面図である。
【図４】図１に示す建物の２階の中間部屋およびロフトを示す平面図である。
【図５】図１に示す建物の各収納スペースおよび階段の概要を示す斜視図である。
【符号の説明】
【００４４】
Ａ  建物
１  下階
１ａ  下階床
１ｂ  中間床
２  上階
１５  中間部屋
１６  低天井収納室
１７  補助スペース
１８  低床部
３０  階段
３１  踊り場
【図１】
0005219412.tif 000002
【図２】
0005219412.tif 000003
【図３】
0005219412.tif 000004
【図４】
0005219412.tif 000005
【図５】
0005219412.tif 000006